(57)【要約】【課題】切断刃と溝切刃の間隔の調節が可能で、複数種のパイプの切断・溝切り同時加工に対応することができるパイプ切断機において、該パイプ切断機に対する切断刃及び溝切刃の組み付け及び組み替えが容易な、パイプ切断機のカッター用丸刃を提供することを課題とする。【解決手段】パイプの外周面に沿って進行しながら切断動作と溝切動作を同時に行なうパイプ切断機の回転駆動軸に設置されるカッターホルダーに組み付けられる、溝切刃３と切断刃５を含む丸刃であって、中心にカッターホルダー１の軸筒１０を挿通するための大径の軸筒挿通孔１２ａを有すると共に、カッターホルダー１に設けられる複数のガイド軸１１を挿通するための小径のガイド軸挿通孔１２を、前記ガイド軸１１の数分有している。【選択図】図３
2009220273.tif 000002
【特許請求の範囲】
【請求項１】
ローラー付きチェーンを介して切断すべきパイプの外周面に設置されて、当該パイプの外周面に沿って進行しながら切断動作と溝切動作を同時に行なうパイプ切断機の回転駆動軸に設置されるカッターホルダーに組み付けられる、溝切刃と切断刃とを含む丸刃であって、中心に前記カッターホルダーの軸筒を挿通するための大径の軸筒挿通孔を有すると共に、前記カッターホルダーに設けられる複数のガイド軸を挿通するための小径のガイド軸挿通孔を、前記ガイド軸の数分有していることを特徴とする、パイプ切断機のカッター用丸刃。
【発明の詳細な説明】
【技術分野】
【０００１】
本発明は、水道工事、土木工事等の工事現場で、比較的口径の大きい水道用又はガス用のダクタイル鋳鉄管等のパイプを切断すると同時に、ロックバンド嵌着用の溝切加工を行なうためのパイプ切断機のカッターであって、口径の異なる、換言すれば、溝切り位置の異なる複数種のパイプの切断・溝切り同時加工に対応し得るパイプ切断機のカッターに組み込まれる丸刃に関するものである。
【背景技術】
【０００２】
従来のパイプ切断機のカッターは、先ず溝切刃２２が本体回転駆動軸２１に取り付けられ、次いで、カッターホルダー２３に取り付けられた切断刃２４が回転駆動軸２１に取り付けられ、カッターホルダー２３によって溝切刃２２と切断刃２４との間に所定の間隔が保持されるという構成を採る（図４）。
【０００３】
ところで、上記カッターを用いてのパイプの切断・溝切り加工は、パイプを切断しつつ、その切断面から所定距離の外周面に、ロックバンドを嵌め付けるための溝を形成するものであるが、従来は上記パイプの寸法が単一であって、上記切断面から溝形成個所までの距離も一定のものであったため、カッターホルダー２３の厚みによって決定される切断刃２４と溝切刃２２の間隔も、これに合わせた一定のもので足りていた。
【０００４】
しかるに近時、従来のものとは径が異なり、溝形成位置も異なるパイプも用いられるようになってきているが、上記従来のカッターはそれに対応することができず、各パイプに適合するカッターを別途用意しなければならないこととなり、経済的負担が増大していた。
【先行技術文献】
【特許文献】
【０００５】
【特許文献１】特公昭５６−２３７２７号公報
【特許文献２】特公昭５８−２３５４４号公報
【特許文献３】特公昭５９−９２８８号公報
【特許文献４】特許第２６７６３３１号公報
【特許文献５】実公昭６１−４２７４１号公報
【特許文献６】実公平５−６００８号公報
【発明の概要】
【発明が解決しようとする課題】
【０００６】
上述したように、従来のパイプ切断機におけるカッターは、切断刃と溝切刃の間隔が一定であって、切断面から溝までの間隔が一定のパイプの加工にしか用いることができず、サイズの異なるパイプの加工には別のカッターを用意しなければならない煩わしさがあり、経済的にも負担となっていた。
【０００７】
本発明はかかる問題を解決するためになされたもので、切断刃と溝切刃の間隔の調節が可能で、複数種のパイプの切断・溝切り同時加工に対応することができるパイプ切断機において、該パイプ切断機に対する切断刃及び溝切刃の組み付け及び組み替えが容易な、パイプ切断機のカッター用丸刃を提供することを課題とする。
【課題を解決するための手段】
【０００８】
上記課題を解決するための請求項１に係る発明は、ローラー付きチェーンを介して切断すべきパイプの外周面に設置されて、当該パイプの外周面に沿って進行しながら切断動作と溝切動作を同時に行なうパイプ切断機の回転駆動軸に設置されるカッターホルダーに組み付けられる、溝切刃と切断刃とを含む丸刃であって、中心に前記カッターホルダーの軸筒を挿通するための大径の軸筒挿通孔を有すると共に、前記カッターホルダーに設けられる複数のガイド軸を挿通するための小径のガイド軸挿通孔を、前記ガイド軸の数分有していることを特徴とする、パイプ切断機のカッター用丸刃である。
【発明の効果】
【０００９】
本発明は上述したとおりであって、カッターホルダーにガイド軸を設け、一方、カッターホルダーに組み付ける溝切刃及び切断刃を含む丸刃にガイド軸を挿通するための小径のガイド軸挿通孔を形成した構成であるため、カッターホルダーに対して溝切刃及び切断刃を位置決めしつつ固定することができ、切断刃と溝切刃の間隔変更のための組み付け及び組み替えも容易となる。
【図面の簡単な説明】
【００１０】
【図１】本発明に係る丸刃を用いたパイプ切断機のカッターの一使用例を示す図である。
【図２】本発明に係る丸刃を用いたパイプ切断機のカッターの他の使用例を示す図である。
【図３】本発明に係る丸刃を用いたパイプ切断機のカッターの分解図である。
【図４】従来のパイプ切断機の分解図である。
【発明を実施するための形態】
【００１１】
本発明を実施するための形態について、添付図面に依拠して説明する。本発明に係るパイプ切断機のカッター用丸刃は、ローラー付きチェーンを介して切断すべきパイプの外周面に設置され、当該パイプの外周面に沿って進行しながら切断動作と溝切動作を同時に行なうパイプ切断機本体の回転駆動軸８に設置されるカッターホルダー１に組み付けられるものであって、溝切刃３又は切断刃５として構成されるものである。
【００１２】
カッターホルダー１は、パイプ切断機本体の回転駆動軸８に取り付けられてこれと一体に回転する部品で、これに、補助スペーサ２、溝切刃３、主スペーサ４、切断刃５、及び押えカバー６が、回転駆動軸８の先端方向に向かってこの順に組み付けられる。但し、後述するように、補助スペーサ２と溝切刃３とが逆に組み付けられることもある。また、第１の実施形態においては、補助スペーサ２と溝切刃３とは別体とされるが、第２の実施形態においては、補助スペーサ２と溝切刃３とが一体に形成される。
【００１３】
カッターホルダー１及び押えカバー６は、回転駆動軸８の先端部に締付ナット９をネジ付けることによって回転駆動軸８から抜けないようになり、それにより、カッターホルダー１に組み付けられる各部品も、回転駆動軸８の軸上に支持されることになる。
【００１４】
カッターホルダー１は、円形の基台の中央に、回転駆動軸８を挿通する軸筒１０を備え、軸筒１０の周囲に、等間隔置きに複数のガイド軸１１を立設して成る（図３参照）。カッターホルダー１に組み付けられる補助スペーサ２、溝切刃３、主スペーサ４、切断刃５、及び、押えカバー６には、それぞれ中心部に、軸筒１０を挿通するための大径の軸筒挿通孔１２aが形成されると共に、各ガイド軸１１を挿通するための小径のガイド軸挿通孔１２が形成される。
【００１５】
このように、カッターホルダー１にガイド軸１１を設け、一方、カッターホルダー１に組み付ける溝切刃３、主スペーサ４、切断刃５、及び、押えカバー６にガイド軸１１を挿通するための小径のガイド軸挿通孔１２を形成した構成においては、カッターホルダー１に対して溝切刃３、主スペーサ４、切断刃５、及び、押えカバー６を位置決めしつつ固定することが可能となる。
【００１６】
回転駆動軸８にはキー１３が設置され、軸筒１０の内面に、キー１３が嵌合するキー溝１４が形成される。かくして、キー１３をキー溝１４に嵌合させてカッターホルダー１を回転駆動軸８に取り付けることにより、カッターホルダー１は、回転駆動軸８と一体となって回転する。１５はカッターをカバーするフードである。
【００１７】
上記構成において、カッターホルダー１に対して補助スペーサ２、溝切刃３、主スペーサ４、切断刃５、押えカバー６をこの順に組み付けた場合（図１）、溝切刃３と切断刃５との間隔は主スペーサ４によって決定されるが、締付ナット９を外して分解し、補助スペーサ２と溝切刃３の組み付け順を逆にすれば（図２）、補助スペーサ２の厚さ分、その間隔を広げることができる。
【００１８】
従って、主スペーサ４によって決定される間隔、並びに、主スペーサ４と補助スペーサ２とによって決定される間隔を、それぞれ別サイズのパイプの端面から溝形成部までの間隔に対応させておけば、１つのカッターで、複数種のパイプの切断・溝切り同時加工に対応可能となる。
【００１９】
なお、より汎用性を持たせるためには、厚さの異なる補助スペーサ２を用意しておけばよく、また、補助スペーサ２を複数枚重ねて使用することとしてもよい。
【００２０】
補助スペーサ２と溝切刃３とが一体に形成される第２の実施形態の場合は、その表裏を逆にしてカッターホルダー１に組み付けることにより、第１の実施形態の場合と同様に、溝切刃３と切断刃５の間隔調整が可能となる。
【００２１】
この発明をある程度詳細にその最も好ましい実施形態について説明してきたが、この発明の精神と範囲に反することなしに広範に異なる実施形態を構成することができることは明白なので、この発明は添付請求の範囲において限定した以外はその特定の実施形態に制約されるものではない。
【符号の説明】
【００２２】
１    カッターホルダー
２    補助スペーサ
３    溝切刃
４    主スペーサ
５    切断刃
６    押えカバー
８    回転駆動軸
９    締付ナット
１０    軸筒
１１    ガイド軸
１２    軸挿通孔
１２ａ  軸筒挿通孔
１３    キー
１４    キー溝
１５    フード
【図１】
2009220273.tif 000003
【図２】
2009220273.tif 000004
【図３】
2009220273.tif 000005
【図４】
2009220273.tif 000006